(57)【要約】【課題】用紙サイズの種類（定型サイズ、非定型サイズ）を問わず表示部等からの入力操作を必要とせず、給紙サイズの設定を容易に行えるとともに、その設定ミスを防止する。【解決手段】定型サイズ、非定型サイズの用紙を収容する収容手段１と、収容された用紙サイズを選択するサイズ選択手段２と、収容された用紙を画像データとして読み取る画像読取手段３と、選択された用紙サイズが、一又は二以上の各定型サイズのいずれかの用紙サイズである場合は、該定型サイズに収容手段１に収容された用紙サイズを確定し、非定型サイズの用紙サイズである場合は、画像読取手段３により読み取られた画像データに基づいて、収容手段１に収容された用紙サイズを確定するサイズ確定手段４と、確定された用紙サイズを収容手段１に収容した用紙サイズとして保持する記憶手段５とを備える【選択図】      図１
2004284764.tif 000002
【特許請求の範囲】
【請求項１】
一又は二以上の定型サイズ、及び前記一又は二以上の定型サイズ以外の非定型サイズの用紙を収容する収容手段と、
前記収容手段に収容された用紙サイズが、予め設定された前記一又は二以上の各定型サイズ、及び前記一又は二以上の各定型サイズ以外の非定型サイズからなる用紙サイズのうち、いずれに属するかを選択するサイズ選択手段と、
前記収容手段に収容された用紙を画像データとして読み取る画像読取手段と、前記サイズ選択手段により選択された用紙サイズが、前記一又は二以上の各定型サイズのいずれかの用紙サイズである場合は、該定型サイズに前記収容手段に収容された用紙サイズを確定し、前記非定型サイズの用紙サイズである場合は、前記画像読取手段により読み取られた画像データに基づいて、前記収容手段に収容された用紙サイズを確定するサイズ確定手段と、
前記サイズ確定手段により確定された用紙サイズを前記収容手段に収容した用紙サイズとして保持する記憶手段とを備える画像形成装置。
【請求項２】
請求項１に記載の画像形成装置において、
前記画像読取手段は、印刷物の画像データを読み取る印刷データ読取手段からなることを特徴とする画像形成装置。
【請求項３】
請求項１又は２に記載の画像形成装置において、
前記サイズ選択手段により選択された用紙サイズが前記非定型サイズである場合に、サイズ確定の確認操作指示を表示する表示手段をさらに備え、
前記サイズ確定手段は前記表示手段により表示された確認操作指示に基づいて確認操作が入力されたとき、前記画像データに基づいて前記収容手段に収容された用紙サイズを確定することを特徴とする画像形成装置。
【請求項４】
請求項３に記載の画像形成装置において、
前記サイズ確定手段は、前記表示手段により前記確認操作指示を表示してから所定時間を経過しても前記確認操作が入力されない場合に、前記収容手段に収容された用紙サイズを予め設定された用紙サイズに確定することを特徴とする画像形成装置。
【請求項５】
請求項３又は４に記載の画像形成装置において、
前記表示手段が、前記確認操作指示を表示する場合に、サイズ確定の確認操作指示を報知する報知手段を備えたことを特徴とする画像形成装置。
【請求項６】
一又は二以上の定型サイズ、及び前記一又は二以上の定型サイズ以外の非定型サイズの用紙を収容する収容ステップと、
前記収容ステップで収容された用紙サイズが、予め設定された前記一又は二以上の各定型サイズ、及び前記一又は二以上の各定型サイズ以外の非定型サイズからなる用紙サイズのうち、いずれに属するかを選択するサイズ選択ステップと、前記収容ステップで収容された用紙を画像データとして読み取る画像読取ステップと、
前記サイズ選択ステップで選択された用紙サイズが、前記一又は二以上の各定型サイズのいずれかの用紙サイズである場合は、該定型サイズに前記収容ステップで収容された用紙サイズを確定し、前記非定型サイズの用紙サイズである場合は、前記画像読取ステップで読み取られた画像データに基づいて、前記収容ステップで収容された用紙サイズを確定するサイズ確定ステップと、
前記サイズ確定ステップで確定された用紙サイズを前記収容ステップで収容した用紙サイズとして保持する記憶ステップとを含む画像形成装置の制御方法。
【発明の詳細な説明】
【０００１】
【発明の属する技術分野】
本発明は、複写機，ファクシミリ，プリンタなどの画像形成装置、及びその制御方法に関し、より詳しくは、給紙サイズの設定を容易に行えるとともに、設定間違いを防止する画像形成装置、及びその制御方法に関する。
【０００２】
【従来の技術】
複写機やプリンタなどの画像形成を行う印刷装置は、印刷装置が備える給紙装置に新たな用紙が収容されると、この収容された新たな用紙のサイズ（以下、「給紙サイズ」という。）を設定し保持することにより、この給紙サイズに適合する印刷物の画像情報が入力された場合に、本給紙装置に収容されている用紙を印刷部へ取り込み、画像情報を印刷していた。
このような従来の印刷装置は、給紙装置内に設けられた設定ダイアル、及び表示部からの入力操作によって、給紙サイズの設定を行っていた。
【０００３】
給紙装置内の設定ダイアルでは、予め設定された複数の定型用紙サイズ、及びこれらの複数の定型用紙サイズに当てはまらない非定型サイズ（その他のサイズ）のうちいずれかが選択可能になっている。
この設定ダイアルによりいずれかの定型用紙サイズが選択された場合に、印刷装置は給紙サイズを設定された定型用紙サイズに保持する。一方、設定ダイアルにより非定型サイズが選択された場合に、表示部から「その他のサイズ」を「Ｂ５サイズ」に設定する操作が入力されると、印刷装置は「その他のサイズ」を「Ｂ５サイズ」に設定し、保持させていた。
このような従来の印刷装置では、設定ダイアルにて「その他のサイズ」が選択されると、表示部から新たな設定がされない限り、以前に設定したサイズ情報が保持されたままであるという問題があった。
【０００４】
したがって、新たに給紙装置に非定型サイズの用紙を設置する場合、表示部による設定操作の忘れを防止すべく、給紙装置の給紙トレイの着脱を自動検知して、新たに設置された用紙サイズの表示部による設定を促す技術が提案されている（例えば、特許文献１参照。）。
【０００５】
【特許文献１】
特開平１０−２１０２１２号公報
【０００６】
【発明が解決しようとする課題】
しかしながら、以上のような従来の印刷装置によれば、給紙装置に新たに用紙を収容した場合に、この用紙サイズの設定操作の忘れを防止することは可能であるが、表示部による入力操作は省くことができず、手間を要する。さらに、このような設定方法では、給紙装置に収容する用紙サイズが非定型サイズであれば、表示部からの入力操作は所定の定型サイズから選択することができず、数値入力により設定する必要があり、入力操作の煩わしさや、入力ミスを防ぐことができないといった問題があった。
【０００７】
本発明は、以上のような問題を解決するためになされたものであり、収容手段に新たな用紙が収容された場合に、用紙サイズの種類（定型サイズ、非定型サイズ）を問わず表示部等からの入力操作を必要とせず、給紙サイズの設定を容易に行えるとともに、その設定ミスを防止することのできる画像形成装置、及びその制御方法を提供することを目的とする。
【０００８】
【課題を解決するための手段】
上記目的を達成するため、本発明の請求項１に記載の画像形成装置は、一又は二以上の定型サイズ、及び一又は二以上の定型サイズ以外の非定型サイズの用紙を収容する収容手段と、収容手段に収容された用紙サイズが、予め設定された一又は二以上の各定型サイズ、及び一又は二以上の各定型サイズ以外の非定型サイズからなる用紙サイズのうち、いずれに属するかを選択するサイズ選択手段と、収容手段に収容された用紙を画像データとして読み取る画像読取手段と、サイズ選択手段により選択された用紙サイズが、一又は二以上の各定型サイズのいずれかの用紙サイズである場合は、該定型サイズに収容手段に収容された用紙サイズを確定し、非定型サイズの用紙サイズである場合は、画像読取手段により読み取られた画像データに基づいて、収容手段に収容された用紙サイズを確定するサイズ確定手段と、サイズ確定手段により確定された用紙サイズを収容手段に収容した用紙サイズとして保持する記憶手段とを備える構成としてある。
【０００９】
画像形成装置をこのような構成にすれば、サイズ確定手段は、サイズ選択手段により選択された用紙サイズが一又は二以上の各定型サイズのいずれかの用紙サイズである場合は、この定型サイズを収容手段に収容された用紙サイズとして確定し、非定型サイズの用紙サイズである場合は、画像読取手段により読み取られた画像データに基づいて収容手段に収容された用紙サイズを確定することができる。
このため、収容手段に新たな用紙が収容された場合に、用紙サイズの種類（定型サイズ、非定型サイズ）を問わず表示部等からの入力操作を必要とせず、給紙サイズの設定を自動的に行えるとともに、手入力による設定ミスを防止することができる。
【００１０】
本発明の請求項２に記載の画像形成装置は、請求項１に記載の画像形成装置において、画像読取手段は、印刷物の画像データを読み取る印刷データ読取手段からなる構成としてある。
画像形成装置をこのような構成にすれば、画像形成装置が画像形成を行う印刷物の画像データを読み込むために予め設けられている印刷データ読取手段の機能を併用することによって、収容手段に収容された用紙を読み取ることができる。
このため、新たに画像読取手段を設ける必要がなく、従来の画像形成装置を効率的に運用させることができる。
【００１１】
本発明の請求項３に記載の画像形成装置は、請求項１又は２に記載の画像形成装置において、サイズ選択手段により選択された用紙サイズが非定型サイズである場合に、サイズ確定の確認操作指示を表示する表示手段をさらに備え、サイズ確定手段は表示手段により表示された確認操作指示に基づいて確認操作が入力されたとき、画像データに基づいて収容手段に収容された用紙サイズを確定する構成としてある。
画像形成装置をこのような構成にすれば、サイズ確定手段は確認操作が入力されたとき、画像データに基づいて収容手段に収容された用紙サイズを確定するので、自動的に非定型サイズの設定を更新されることを防ぐことができる。
このため、ユーザは非定型サイズの設定更新の有無を操作可能となり、使用状況に応じて設定変更の有無を操作することができる。
【００１２】
本発明の請求項４に記載の画像形成装置は、請求項３に記載の画像形成装置において、サイズ確定手段は、表示手段により確認操作指示を表示してから所定時間を経過しても確認操作が入力されない場合に、収容手段に収容された用紙サイズを予め設定された用紙サイズに確定する構成としてある。
画像形成装置をこのような構成にすれば、自動的に非定型サイズの設定を更新されることを防ぐことによる弊害、すなわち、確認操作が入力されないことによるサイズ未確定の状態が長時間続くことを防ぐことができる。
【００１３】
本発明の請求項５に記載の画像形成装置は、請求項３又は４に記載の画像形成装置において、表示手段が、確認操作指示を表示する場合に、サイズ確定の確認操作指示を報知する報知手段を備えた構成としてある。
画像形成装置をこのような構成にすれば、表示手段による確認操作指示によってはユーザがその指示に気が付かないといったことを防止することができる。なお、この報知手段としては、ブザーなどの警報機、装置に備えられたＬＥＤなどがある。
【００１４】
本発明の請求項６に記載の画像形成装置の制御方法は、一又は二以上の定型サイズ、及び一又は二以上の定型サイズ以外の非定型サイズの用紙を収容する収容ステップと、収容ステップで収容された用紙サイズが、予め設定された一又は二以上の各定型サイズ、及び一又は二以上の各定型サイズ以外の非定型サイズからなる用紙サイズのうち、いずれに属するかを選択するサイズ選択ステップと、収容ステップで収容された用紙を画像データとして読み取る画像読取ステップと、サイズ選択ステップで選択された用紙サイズが、一又は二以上の各定型サイズのいずれかの用紙サイズである場合は、該定型サイズに収容ステップで収容された用紙サイズを確定し、非定型サイズの用紙サイズである場合は、画像読取ステップで読み取られた画像データに基づいて、収容ステップで収容された用紙サイズを確定するサイズ確定ステップと、サイズ確定ステップで確定された用紙サイズを収容ステップで収容した用紙サイズとして保持する記憶ステップとを含む制御方法としてある。
【００１５】
画像形成装置の制御方法をこのような制御方法にすれば、選択された用紙サイズが一又は二以上の各定型サイズのいずれかの用紙サイズである場合は、該定型サイズに収容された用紙サイズを確定し、非定型サイズの用紙サイズである場合は、読み取られた画像データに基づいて収容された用紙サイズを確定することができる。
このため、収容手段に新たな用紙が収容された場合に、用紙サイズの種類（定型サイズ、非定型サイズ）を問わず表示部等からの入力操作を必要とせず、給紙サイズの設定を自動的に行えるとともに、手入力による設定ミスを防止することができる。
【００１６】
【発明の実施の形態】
以下、本発明の実施の形態について図面を参照して説明する。
図１は、本発明の一実施形態に係る画像形成装置の全体構成図である。
【００１７】
図１に示すように、画像形成装置は、給紙装置（収容手段）１（１ａ，１ｂ，．．．，１ｎ）、サイズ選択手段２（２ａ，２ｂ，．．．，２ｎ）、画像読取手段３、サイズ確定手段４、記憶手段５、表示手段６、報知手段７を有している。給紙装置１は、複数の定型サイズ（Ａ３，Ａ４，Ａ５サイズなど）の用紙、及びその複数の定型サイズ以外のアナザーサイズ（非定型サイズ）の用紙（Ｂ５，Ａ６，Ｍｏｎａｒｃｈ，Ｌｅｔｔｅｒ，Ｌｅｇａｌ，はがき，Ａ３Ｗｉｄｅ，Ｂ４，Ｆｏｌｉｏなど）が収容可能である。なお、画像形成装置が印刷データを読み取ると、この印刷データのサイズに適すると判断した用紙サイズを収容している給紙装置１を選択して、その給紙装置１に収容されている用紙を装置内に給紙する。
【００１８】
サイズ選択手段２は、各給紙装置１に備えられ、各給紙装置１の収容する用紙サイズを設定する設定ダイアルである。すなわち、サイズ選択手段２は、給紙装置１に収容された用紙サイズが、予め設定された各定型サイズ（Ａ３，Ａ４，Ａ５など）、及び各定型サイズ以外のアナザーサイズ（Ｂ５，Ａ６，Ｍｏｎａｒｃｈ，Ｌｅｔｔｅｒ，Ｌｅｇａｌ，はがき，Ａ３Ｗｉｄｅ，Ｂ４，Ｆｏｌｉｏなど）からなる用紙サイズのうち、いずれに属するかを選択する。
なお、図２に本実施形態に係る画像形成装置の給紙装置におけるサイズ選択手段の選択可能な用紙サイズの模式図を示す。
【００１９】
画像読取手段３はスキャナー装置などからなり、給紙装置１に収容された用紙を画像データとして読み取る。
この画像読取装置３は、画像形成を行う対象である印刷物の画像データを読み込むために画像形成装置が予め備えるスキャナー部（印刷データ読取手段）を利用することによっても、給紙装置１に収容された用紙を読み取ることができる。
かかる構成とすれば、新たに画像読取手段を設ける必要がなく、従来の画像形成装置を効率的に運用させることができる。
【００２０】
サイズ確定手段４は、ＣＰＵ（Ｃｅｎｔｒａｌ  Ｐｒｏｃｅｓｓｉｎｇ  Ｕｎｉｔ）等の画像形成装置の制御部分である。すなわち、サイズ確定手段４は、サイズ選択手段２により選択された用紙サイズが、複数の各定型サイズのいずれかの用紙サイズである場合は、この定型サイズに給紙装置１に収容された用紙サイズを確定し、アナザーサイズの用紙サイズである場合は、画像読取手段３により読み取られた画像データのサイズに基づいて、サイズデータと対応付けられた非定型用紙を給紙装置に収容された用紙サイズとして確定する。
なお、サイズデータと対応付けられた非定型用紙の情報は、予めサイズ確定手段４に記憶させておいてもよく、また、メモリカードに記憶させておくことで、更新を容易にすることもできる。
記憶手段５は、ＲＡＭ（Ｒａｎｄｏｍ  Ａｃｃｅｓｓ  Ｍｅｍｏｒｙ）等のメモリであり、サイズ確定手段４により確定された用紙サイズを給紙装置１に収容した用紙サイズとして保持する。すなわち、サイズ確定手段４による新たな確定がなされない限り、以前に確定された用紙サイズが変更されることなく保持される。
【００２１】
表示手段６は、ＬＣＤ（Ｌｉｑｕｉｄ  Ｃｒｙｓｔａｌ  Ｄｉｓｐｌａｙ），ＣＲＴディスプレイなどからなり、サイズ選択手段２により選択された用紙サイズが非定型サイズである場合に、サイズ確定の確認操作指示（例えば、「アナザーサイズに収容されている用紙サイズを「Ｂ５サイズ」に設定しますか？」など）を表示する。また、表示手段６をタッチパネル方式とすれば、入力手段としての機能を有するため確認操作を表示画面上で実行することができる。
報知手段７は、警報機、スピーカ、又はＬＥＤ等からなり、表示手段６が、確認操作指示を表示する場合に、サイズ確定の確認操作指示を報知する。すなわち、警報機であればブザー音を発生し、スピーカであれば予め設定されている警告アナウンスを再生し、ＬＥＤであれば点灯、点滅を繰り返すなどの報知が考えられる。
【００２２】
次に、本発明の一実施形態係る画像形成装置による画像形成処理の動作について、図３を参照して説明する。図３は、本実施形態に係る画像形成装置による画像形成処理の動作を示したフローチャートである。
図３に示すように、まず、ユーザは、画像形成装置の給紙装置１を引き抜いて、給紙装置１内に用紙を収容する（収容ステップ、ステップＳ３０１）。
そして、ユーザは、給紙装置１に収容した用紙サイズを、サイズ選択手段２により選択する（サイズ選択ステップ、ステップＳ３０２）。すなわち、図２に示した例によれば、Ａ３，Ａ４，Ａ５サイズのいずれかの用紙を収容した場合には、それぞれ対応するダイアルを選択し、Ａ３，Ａ４，Ａ５サイズ以外の用紙サイズを収容した場合には、アナザーサイズを選択する。
【００２３】
ステップＳ３０２の設定がなされると、画像形成装置のサイズ確定手段４は、サイズ選択手段２で選択された用紙サイズがアナザーサイズであるか否かを判断する（ステップＳ３０３）。アナザーサイズではないと判断された場合には、その選択された用紙サイズを読み取り、表示手段６により確認操作指示を表示するとともに、報知手段７により警報音を報知する（ステップＳ３０５）。
一方、ステップＳ３０３で、アナザーサイズであると判断された場合には、画像読取手段３により収容された用紙を画像データとして読み取る（画像読取ステップ、ステップＳ３０４）。そして、ステップＳ３０４で読み取った画像データから用紙サイズが、Ｂ５サイズ，Ａ６サイズ，はがき等であることを認識すると、サイズ確定手段４は、認識した用紙サイズを給紙装置１に収容された用紙サイズとして確定する確認操作指示を表示手段６に表示するとともに、報知手段７により警報音を報知する（ステップＳ３０５）。
【００２４】
そして、サイズ確定手段４は、確認操作が入力されたか否かを判断する（ステップＳ３０６）。確認操作が入力された場合には、給紙装置１に収容された用紙サイズを確定する（サイズ確定ステップ、ステップＳ３０７）。すなわち、サイズ確定手段４は、サイズ選択手段２で選択された用紙サイズが所定の定型サイズであればその用紙サイズに確定し、アナザーサイズであれば画像データにより認識された用紙サイズに確定する。
一方、確認操作指示を表示してから例えば５分間経過した場合（ステップＳ３０８のＹｅｓ）には、給紙装置１に収容された用紙サイズは、所定の用紙サイズ（例えば、Ｂ５サイズ）に確定する（サイズ確定ステップ、ステップＳ３０９）。
【００２５】
上記ステップＳ３０７、Ｓ３０９にて、給紙装置１に収容された用紙サイズが確定されると、記憶手段５は、その確定された用紙サイズを保持する（記憶ステップ、ステップＳ３１０）。
【００２６】
以上のように、本発明の実施の形態に係る画像形成装置によれば、サイズ確定手段４は、サイズ選択手段２により選択された用紙サイズが所定の定型サイズのいずれかの用紙サイズである場合は、この定型サイズを給紙装置１に収容された用紙サイズとして確定し、アナザーサイズの用紙サイズである場合は、画像読取手段３により読み取られた画像データに基づいて給紙装置１に収容された用紙サイズを確定することができる。
このため、給紙装置１に新たな用紙が収容された場合に、用紙サイズの種類（定型サイズ、非定型サイズ）を問わず表示手段１等からの入力操作を必要とせず、給紙サイズの設定を自動的に行えるとともに、手入力による設定ミスを防止することができる。
【００２７】
また、サイズ選択手段２により選択された用紙サイズが非定型サイズである場合に、サイズ確定の確認操作指示を表示する表示手段６をさらに備えることにより、サイズ確定手段４は確認操作が入力されたとき、画像データに基づいて給紙装置１に収容された用紙サイズを確定するので、自動的に非定型サイズの設定を更新されることを防ぎ、ユーザは非定型サイズの設定更新の有無を操作可能となり、使用状況に応じて設定変更の有無を操作することができる。
【００２８】
また、サイズ確定手段４は、表示手段６により確認操作指示を表示してから所定時間を経過しても確認操作が入力されない場合に、給紙装置１に収容された用紙サイズを所定の用紙サイズに確定することにより、確認操作が入力されないことによるサイズ未確定の状態が長時間続くことを防ぐことができる。
【００２９】
さらに、表示手段６が、確認操作指示を表示する場合に、サイズ確定の確認操作指示を報知する報知手段７を備えたことにより、表示手段６による確認操作指示によってはユーザがその指示に気が付かず、サイズ未確定の状態が長時間続くことを防ぐことができる。
【００３０】
なお、上記実施形態に係る画像形成装置は、画像形成装置の制御プログラムに制御されるコンピュータにより実行することができる。画像形成装置の制御プログラムは、例えば、記録媒体により提供される。記録媒体としては、例えば、磁気ディスク、光ディスク、半導体メモリ、その他コンピュータで読み取り可能な任意の手段を使用することができる。
また、記録媒体に記録された画像形成装置の制御プログラムは、記録媒体を直接コンピュータに装着して当該コンピュータに読み込ませることができ、また、通信回線を介してコンピュータに読み込ませるようにしても良い。
【００３１】
以上、本発明の画像形成装置について、好ましい実施形態を示して説明したが、本発明に係る画像形成装置は、上述した実施形態にのみ限定されるものではなく、本発明の範囲で種々の変更実施が可能であることは言うまでもない。
【００３２】
【発明の効果】
この発明によれば、サイズ確定手段は、サイズ選択手段により選択された用紙サイズが所定の定型サイズのいずれかの用紙サイズである場合は、この定型サイズを給紙装置に収容された用紙サイズとして確定し、アナザーサイズの用紙サイズである場合は、画像読取手段により読み取られた画像データに基づいて給紙装置に収容された用紙サイズを確定することができる。
このため、給紙装置に新たな用紙が収容された場合に、用紙サイズの種類（定型サイズ、非定型サイズ）を問わず表示手段等からの入力操作を必要とせず、給紙サイズの設定を自動的に行えるとともに、手入力による設定ミスを防止することができる。
【図面の簡単な説明】
【図１】本発明の一実施形態に係る画像形成装置の全体構成図である。
【図２】本発明の一実施形態に係る画像形成装置の給紙装置におけるサイズ選択手段の選択可能な用紙サイズの模式図である。
【図３】本発明の一実施形態に係る画像形成装置による画像形成処理の動作を示したフローチャートである。
【符号の説明】
１  給紙装置（収容手段）
２  サイズ選択手段
３  画像読取手段
４  サイズ確定手段
５  記憶手段
６  表示手段
７  報知手段
【図１】
2004284764.tif 000003
【図２】
2004284764.tif 000004
【図３】
2004284764.tif 000005